(57)【特許請求の範囲】
【請求項１】
上下２層の表面板と１層の中間板とを有し、上下２層の表面板には２種のランクがあり、中間板には２種のクラスがあり、ガスケットに４種のグレードがある積層金属ガスケットであって、各ランクの表面板はランクの順序数の２倍の数の切欠き、透孔等の透視標識を連続した位置に備え、同一ランクの透視標識は同一位置にかつ他のランクの透視標識と重ならない位置に配置され、クラス１の中間板は、表面板のランク１の透視標識の位置に１個の透視標識を、ランク２の透視標識の位置の連続した位置に３個の透視標識を備え、クラス２の中間板は表面板の各ランクの透視標識の位置の全部に透視標識を有することを特徴とする積層金属ガスケット。
【請求項２】
上下２層の表面板と１層の中間板とを有し、上下２層の表面板には３種のランクがあり、中間板には２種のクラスがあり、ガスケットに６種のグレードがある積層金属ガスケットであって、各ランクの表面板はランクの順序数の２倍の数の切欠き、透孔等の透視標識を連続した位置に備え、同一ランクの透視標識は同一位置にかつ他のランクの透視標識と重ならない位置に配置され、クラス１の中間板は、表面板のランク１の透視標識の位置に１個、ランク２の透視標識の位置の連続した位置に３個、ランク３の透視標識の位置の連続した位置に５個の透視標識を有し、クラス２の中間板は表面板の各ランクの透視標識の位置の全部に透視標識を有することを特徴とする積層金属ガスケット。
【請求項３】
上下２層の表面板と１層の中間板とを有し、上下２層の表面板にはｍ種のランクがあり、中間板にはｎ種のクラスがあり、ガスケットにｍ×ｎ種のグレードがある積層金属ガスケットであって、各ランクの表面板はランクの順序数のｎ倍の数の切欠き、透孔等の透視標識を連続した位置に備え、同一ランクの透視標識は同一の位置にかつ他のランクの透視標識に重ならない位置に配置され、第ｐ(ｐは１〜ｎの整数)クラスの中間板は表面板の各ランクの透視標識の位置それぞれにおいて、各ランクの透視標識の数から(ｎ−ｐ)を減じた数の透視標識を連続した位置に有することを特徴とする積層金属ガスケット。
【請求項４】
表面板の各ランクの連続した位置にある透視標識が一体化され、連続する位置全体にわたる拡大透視標識に形成されている請求項１、２又は３に記載の積層金属ガスケット。
【請求項５】
中間板の各クラスの連続した位置にある透視標識が一体化され、連続する位置全体にわたる拡大透視標識に形成されている請求項１、２又は３に記載の積層金属ガスケット。
【請求項６】
更に、表面板と同数のランクがあり、表面板と同様に透視標識を有する第二の中間板を積層し、該第二の中間板と表面板とが同じランクである請求項１、２又は３に記載の積層金属ガスケット。
【請求項７】
ランク、クラス及びグレードが厚さの種別である請求項１、２又は３に記載の積層金属ガスケット。
【発明の詳細な説明】
【０００１】
【発明の属する技術分野】
本発明は複数のグレードを有する積層金属ガスケットにおいて、グレードを容易に識別できるようにしたガスケットに関するものである。
【０００２】
【従来の技術】
積層金属ガスケットの構成板の積層順序の誤りや構成板の欠板等の誤積層を目視によりあるいは光学的手段を用いて容易に検出できるように構成した積層金属ガスケットは公知であり、例えば実公平２−３７３２６号公報及び特公平８−３０５３７号公報に記載されている。
【０００３】
一方、ピストンとシリンダヘッドとの間の隙間いわゆるトップクリアランスがエンジンの出力や排気ガスに影響を及ぼすことから、最近はトップクリアランスが厳しく管理されており、厚さだけが異なる数グレードのガスケットを選択的に組付けるいわゆるセレクト  アッシーが採用されている。このような選択組付け用のガスケットにおいてガスケットの厚さのグレードを表示し、これを容易に識別できるようにした積層金属ガスケットが実開平１−１７３５６９号公報及び実開平４−１３２２６４号公報に開示されている。これらのガスケットは、厚さの種別がなく一定の厚さを有する定厚金属板と厚さの種別がある調厚金属板とにより構成し、調厚金属板の厚さを、従ってガスケットのグレードを切欠き等の識別標識により識別できるように構成されている。
【０００４】
【発明が解決しようとする課題】
上下２層の表面板とこれらの間に介在する中間板とからなるガスケットにおいて、ガスケットの厚さに多数のグレードが要求される場合には、表面板及び中間板双方とも数種類の厚さのランクもしくはクラスを持つようにし、これらの組み合わせによりガスケットが所望数の厚さのグレードを持つようにすることが必要になる。このように構成されたガスケットのグレードは前記実開平１−１７３５６９号公報及び実開平４−１３２２６４号公報に記載の考案の表示、識別方式によりこれを表示、識別することは困難である。
【０００５】
また、上下２層の表面板は同一ランクのものが用いられ、誤って上下何れか一方に他のランクのものを用いた場合に、誤積層を容易に検出し、判別できることが必要であるが、前記実開平１−１７３５６９号公報及び実開平４−１３２２６４号公報の表示、識別方式に基づいて上記の誤積層を検出することはできないし、また前記の公報等に記載の従来の誤積層検出手段によっても検出、判別することはできない。
【０００６】
何故なら、従来の誤積層検出手段は前記のとおり、構成板の積層順序の誤り、構成板の欠板等、一個のガスケットを構成する構成板群の中での積層の誤りを検出するものであり、構成板が第１板(上板)であれば全て第１板の識別標識を有し、第１板に数種のランクがある場合も、ランクに関りなく第１板の識別標識を有することになる。ランクの種別は想定されておらず、これを検出することはできない。
【０００７】
本発明は上記の点に鑑みてなされたものであり、本発明の目的は上下２層の表面板と１層の中間板とを有し、表面板及び中間板にそれぞれランク及びクラスの種別があり、ガスケットがこれらの組み合わせによるグレードを有する積層金属ガスケットにおいて、ガスケットのグレードの順序数を表示し、グレードを容易に識別可能にすることにある。また本発明の他の目的は上記積層金属ガスケットにおいて上下２層の表示板が互いに異なるランクの表示板により構成されている誤積層を容易に検出し、判別することを可能にすることにある。
【０００８】
【課題を解決するための手段】
上記目的を達成する本発明の積層金属ガスケットは上下２層の表面板と１層の中間板とを有し、表面板及び中間板がともに２ランク及び２クラスの種別を有し、ガスケットに４グレードの種別があるとき、各ランクの表面板はランクの順序数の２倍の数の切欠き、透孔等の透視標識を連続した位置に備え、同一ランクの透視標識は同一の位置にかつ他のランクの透視標識と重ならない位置に配置され、クラス１の中間板は、表面板のランク１の透視標識の位置に１個の透視標識を、ランク２の透視標識の位置の連続した位置に３個の透視標識を備え、クラス２の中間板は表面板の各ランクの透視標識の位置の全部に透視標識を有することを特徴とする。
【０００９】
また、本発明は、一般的に表現すれば、上下２層の表面板と１層の中間板とを有し、上下２層の表面板にはｍ種のランクがあり、中間板にはｎ種のクラスがあり、ガスケットにｍ×ｎ種のグレードがある積層金属ガスケットであって、各ランクの表面板はランクの順序数のｎ倍の数の切欠き、透孔等の透視標識を連続した位置に備え、同一ランクの透視標識は同一の位置にかつ他のランクの透視標識と重ならない位置に配置され、第ｐ(ｐは１〜ｎの整数)クラスの中間板は表面板の各ランクの透視標識の位置それぞれにおいて、各ランクの透視標識の数から(ｎ−ｐ)を減じた数の透視標識を連続した位置に有することを特徴とする。
【００１０】
上記構成を有する本発明による積層金属ガスケットにおいては、上下２層の表面板が同一ランクの表面板であって、ガスケットが正しく積層されているときは、上下２層の表面板及び中間板の透視標識が重なり合ってガスケットの厚さ方向(積層方向)に貫通する透視部がガスケットのグレードの順序数と同じ数の連続した位置に形成され、ガスケットのグレードの順序数が該透視部の数により表示される。これによってガスケットのグレードを容易に識別できる。
【００１１】
本発明によれば、前記のとおり、各ランクの表面板の透視標識は他のランクの透視標識と重ならない位置に配置されているので、本発明の積層金属ガスケットが誤って積層され、上下２層の表面板が異なるランクの表面板により構成されているときは、上下２層の表面板の透視標識が重なり合わず、ランクを異にする表面板により塞がれるので、ガスケットをその厚さ方向に貫通する透視部は１個も形成されない。これによって上記の上下２層の表面板をランクを異にする表面板により構成した誤積層が容易に検出できる。
【００１２】
ただし、本発明は上下２層の表面板が同一ランクの表面板により正しく構成されていながら、積層の順序を誤り、上下の表面板が入れ換わっているような誤積層すなわち一個のガスケットを構成する構成板群の中での積層の誤りについてはこれを検出の対象としていない。このような誤積層の検出は必要に応じガスケットに別途に設置される前記公報等に記載の、従来の誤積層検出手段により行われる。
【００１３】
これまでの説明では表面板及び中間板のランク及びクラスを表面板及び中間板の厚さの種別、ガスケットのグレードをガスケットの厚さの種別として説明してきたが、ランク及びクラス並びにグレードは構成板やガスケットの厚さの種別に限られるものではなく、例えば表面板や中間板に被覆するふっ素ゴムやシリコーンゴム等のシール材層の被覆の有無をも含めた厚さの種別やシール材層の材質の種別についても適用できる。
【００１４】
【発明の実施の形態】
本発明の詳細並びに実施の形態を図面に基づき以下に説明する。図１は本発明の第１実施例のシリンダヘッドガスケットＧ１の平面図であり、図２は該ガスケットＧ１の分解斜視説明図である。ただし、図１、図２ともに燃焼室穴１５以外のボルト穴、水穴、オイル穴等の図示を省略している。第１実施例のガスケットＧ１は上下２層の表面板１１及び１２とこれらの間に配置された中間板１３を互いに重なるように積層して形成されている。表面板１１、１２及び中間板１３は何れもステンレス鋼板からなる。
【００１５】
ガスケットＧ１はセレクト  アッシー用のガスケットであり、グレードにより厚さが異なる。これを構成する表面板１１及び１２には厚さを異にする２種のランクがあり、中間板１３にも厚さが異なる２種のクラスがある。そして、これらのランク, クラスの組み合わせによりガスケットＧ１には４種のグレードがある。表面板１１と１２には同じランクのものが用いられ、正しく構成されている限り異なるランクのものが混用されることはない。
【００１６】
各ランクの表面板１１及び１２並びに各クラスの中間板１３はシール性能に影響を与えないその周辺部に切欠き、透孔等の透視標識１６を有する。各ランクの表面板はランクの順序数の２倍の数の透視標識を有し、該透視標識１６は連続する位置に、かつ他のランクの透視標識と重ならない位置に配置されている。そして、同一ランクの標識は同一位置に配置されている。すなわち、ランク１の表面板１１及び１２は、図３(イ)に示すように、１及び２の位置に２個の透視標識１６を有し、ランク２の表面板は図３(ロ)に示すように３、４、５及び６の位置に４個の透視標識１６を有する。
【００１７】
クラス１の中間板１３は、ランク１の表面板の透視標識の位置の中の１個の位置と、ランク２の表面板の透視標識の位置の中の連続する３個の位置に透視標識１６を有する。すなわち、図３(ハ)に示すように１の位置(２の位置でもよい)と３、４及び５の位置(４、５及び６の位置でもよい)とにそれぞれ透視標識１６を有する。クラス２の中間板１３は図３（ニ）に示すように１乃至６の全ての位置に透視標識１６を有する。
【００１８】
従って、ランク１の表面板１１及び１２とクラス１の中間板とからなるグレード１のガスケットにおいては、１の位置の透視標識だけが重なり、１の位置だけにガスケットの厚さ方向に貫通する透視部１７が形成され、他の位置の透視標識は塞がれる。貫通する１個の透視部によりグレード１のガスケットであることが表示される。図２はこのようなグレード１のガスケットＧ１を示している。
【００１９】
ランク１の表面板とクラス２の中間板とからなるグレード２のガスケットＧ１においては、１及び２の位置に２個の透視部が形成され、ランク２の表面板とクラス１の中間板とからなるグレード３のガスケットには３、４及び５(又は４、５及び６)の位置に３個の透視部が形成され、ランク２の表面板とクラス２の中間板とからなるグレード４のガスケットには３、４、５及び６の位置に４個の透視部が形成され、それぞれ透視部の数によりガスケットＧ１のグレードが表示され、グレードが容易に識別される。
【００２０】
一方、ガスケットＧ１が、誤って互いにランクが異なる表面板１１及び１２により構成されているとき、すなわち、一方の表面板がランク１で、他方の表面板がランク２であるときは、図３から容易に理解されるように、透視標識がランクを異にする他の表面板により塞がれ、ガスケットの厚さ方向に貫通する透視部が１個も形成されない。これらの正誤の状態は透視標識を光学的手段により、もしくは検出ピンによりあるいは目視により点検すれば容易に判別でき、ランクを誤った誤積層が容易に検出できる。
【００２１】
ガスケットＧ１の表面板１１、１２及び中間板１３の各ランク及び各クラスの透視標識は図４及び図５に示すように変形することもできる。図４はランク１及びランク２の表面板の連続する透視標識を一体化したもので、図３(イ)の１及び２の位置それぞれに配置された透視標識を一体化し、図４(イ)に示すように１及び２の位置にわたって形成された拡大透視標識１８とし、また、図３(ロ)の３、４、５及び６の位置それぞれに配置された透視標識を一体化し、図４(ロ)に示すように３、４、５及び６の位置にわたって形成された拡大透視標識１８としたものである。この場合、各クラスの中間板の透視標識は、図４(ハ)及び(ニ)に示すように、図３(ハ)及び(ニ)の透視標識と同じくそれぞれの位置に形成される。図５では図４とは逆に、各クラスの中間板の透視標識を一体化して拡大透視標識１８とし、各ランクの表面板の透視標識は図３(イ)及び(ロ)と同じく、それぞれの位置に個別に形成されている。
【００２２】
図６は本発明の第２実施例のガスケットについての各ランクの表面板及び各クラスの中間板における透視標識の数と位置とを示す説明図である。第２実施例のガスケットＧ２は上下２層の表面板と１層の中間板とからなり、表面板には３種のランクがあり、中間板には２種のクラスがある。これらの組み合わせによりガスケットＧ２は６種のグレードを有する。
【００２３】
ランク１の表面板は図６(イ)に示すように１及び２の位置に２個の透視標識１６を有し、ランク２の表面板は図６(ロ)に示すように、３、４、５及び６の位置に４個の透視標識１６を有し、ランク３の表面板は図６(ハ)に示すように７〜１２の位置に６個の透視標識１６を有する。クラス１の中間板は図６(ニ)に示すように、ランク１の透視標識の位置中の１の位置(２の位置でもよい)における透視標識１６と、ランク２の透視標識の位置中の３〜５(４〜６でもよい)の位置における３個の透視標識１６と、ランク３の標識の位置中の７〜１１(８〜１２でもよい)の位置における５個の透視標識１６とを有する。クラス２の中間板は各ランクの透視標識の位置の全て、すなわち１〜１２の位置全てに透視標識１６を有する。
【００２４】
従って、各ランクの上下２層の表面板と各クラスの１層の中間板との下記の表１に示す組み合わせにより構成されるグレード１〜６のガスケットＧ２においては、表１に示す数の透視部が表１に示す位置に形成される。この透視部の数によりガスケットＧ２のグレードが表示され、グレードを容易に識別することができる。
【００２５】
【表１】
0004073542.tif 000002
【００２６】
第２実施例のガスケットＧ２においても、図４及び図５に示した第１実施例の変形例と同じく、各ランクの表面板又は各クラスの中間板の透視標識の中の連続する位置にある透視標識を一体化し、連続する位置全体にわたり形成された拡大透視標識とすることができる。
【００２７】
本発明は、表面板のランク数及び中間板のクラス数を更に拡張した、例えば２ランクの表面板と３クラスの中間板とからなる６グレードのガスケット或は３ランクの表面板と３クラスの中間板とからなる９グレードのガスケット等にも適用でき、ガスケットのグレードを表示する透視部を形成する透視標識を第１実施例、第２実施例と同様な手法により構成することができる。以下においては本発明を一般形式で表現し、これを説明する。
【００２８】
本発明の積層金属ガスケットは一般形式で表現すれば次の通りである。すなわち、本発明のガスケットは、上下２層の表面板とこれらの間に積層された１層の中間板とを有する。上下２層の表面板にはｍ種のランクの種別があり、中間板にはｎ種のクラスの種別があり、これらの組み合わせによりガスケットにはｍ×ｎ種のグレードがある。各ランクの表面板はランクの順序数のｎ倍の数の切欠き、透孔等の透視標識を有し、各ランクの透視標識は１、２、３の位置のような連続した位置に配置され、また、同一ランクの透視標識は同一の位置に配置され、かつ他のランクの透視標識の位置に重ならないように異なる位置に配置されている。
【００２９】
クラスｐ(ｐは１〜ｎの整数)の中間板は、表面板の各ランクの透視標識の位置のそれぞれにおいて、各ランクの透視標識の数から(ｎ−ｐ)を減じた数の透視標識を連続した位置に有する。例えばｐが１のクラス１の中間板においては、ランク１の透視標識の位置にランク１の透視標識の数ｎから(ｎ−１)を減じた数すなわち１個の透視標識を有し、ランク２の透視標識の位置にランク２の透視標識の数２ｎから(ｎ−１)を減じた数すなわちｎ＋１個の透視標識を有し、ランク３の標識の位置に２ｎ＋１個の透視標識を有する。ｐが２のクラス２の中間板においては、ランク１の標識の位置に２個の透視標識を有し、ランク２の標識の位置にｎ＋２個の透視標識を有する。クラスｎの中間板においては各ランクの標識の位置全てに透視標識を有する。
【００３０】
一般形式では上記のとおりに表現できる本発明の積層金属ガスケットにおいては、ｎ(ｑ−１)＋ｐの順序数のグレードのガスケットは該順序数と同数の、ガスケットの厚さ方向に貫通する透視部を形成する。ただし、ｑは１〜ｍの整数、ｐは１〜ｎの整数である。例えばｑ＝１、ｐ＝１のグレード１のガスケットは１個の透視部を有し、ｑ＝１、ｐ＝２のグレード２のガスケットは２個の透視部を有し、ｑ＝１、ｐ＝ｎのグレードｎのガスケットはｎ個の透視部を有し、ｑ＝２、ｐ＝１のグレードｎ＋１のガスケットはｎ＋１個の透視部を有する。形成された透視部の数によりガスケットのグレードを表示でき、グレードが容易に識別される。
【００３１】
各ランクの上下２層の表面板は他のランクの透視標識の位置に重ならない異なる位置に透視標識を有しているので、上下の表面板がランクを異にしている場合は透視標識を互いに塞ぎ、ガスケットの厚さ方向に貫通する透視部が１個も形成されない。これによって、異なるランクの表面板を上下に混用した誤りを容易に検出できる。
【００３２】
上記説明した実施例においては、ガスケットは上下２層の表面板と１層の中間板とにより構成されるものとして説明したが、本発明のガスケットは、上下２層の表面板と同数のランクがある第二の中間板を追加し、かつ該第二の中間板が各ランクの上下２層の表面板と全く同じように透視標識を有するように構成することもできる。この場合、該第二の中間板と上下２層の表面板とは同じランクであるようにガスケットが構成される。このような第二の中間板を追加してもガスケットのグレード数は変わらず、また、形成される透視部の数も変わらない。上下２層の表面板と第二の中間板との中の何れかが誤って異なるランクのもので構成されている場合には、透視部が１個も形成されず、その誤構成を容易に検出できる。
【００３３】
上記説明したとおり、本発明においては、上下２層の表面板及び第二の中間板には同じ数のランクがあり、本発明によるガスケットは上下２層の表面板が、また第二の中間板が存るときは第二の中間板も同じランク位のもので構成されるが、ランクが厚さの種別である場合でも、同一ランク位の上下の表面板及び第二の中間板が同じ厚さでなければならないことを意味するものではない。
【００３４】
【発明の効果】
上記説明したとおり本発明による積層金属ガスケットにおいては、上下２層の表面板のランクと１層の中間板のクラスとの組み合わせによるガスケットのグレードが、各ランクの表面板、各クラスの中間板がそれぞれ備える透視標識の重なりによって形成されたガスケットの厚さ方向に貫通する透視部の数によって表示され、ガスケットのグレードが容易に識別できる。また、上下の表面板が誤って互いに異なるランクの表面板により構成されているときは透視部が１個も形成されないので、ガスケットの構成の誤りを容易に検出できる。
【図面の簡単な説明】
【図１】本発明の第１実施例のガスケットの平面図である。
【図２】第１実施例のガスケットの分解斜視説明図である。
【図３】第１実施例のガスケットの各ランクの表面板及び各クラスの中間板が有する透視標識の説明図である。
【図４】透視標識の変形例の説明図である。
【図５】透視標識の他の変形例の説明図である。
【図６】本発明の第２実施例のガスケットの各ランクの表面板及び各クラスの中間板が有する透視標識の説明図である。
【符号の説明】
１１、１２  表面板
１３  中間板
１６  透視標識
１７  透視部
１８  拡大透視標識
【図１】
0004073542.tif 000003
【図２】
0004073542.tif 000004
【図３】
0004073542.tif 000005
【図４】
0004073542.tif 000006
【図５】
0004073542.tif 000007
【図６】
0004073542.tif 000008